(57)【要約】【課題】座り直すことなく効果的な腰の指圧マッサージを行うことができる椅子式マッサージ機を提供することを課題とする。【解決手段】被施療者１が座る座部２の一側面に設けられた背凭れ部３と、背凭れ部３の上下方向に昇降可能且つ背凭れ部３から突出する施療指４を有するマッサージユニット５とを備え、施療指４により被施療者１の腰近傍を指圧する際には、被施療者１の腰が座部２の前方に移動することを防止する腰位置保持手段５４により被施療者１の体を保持する。【選択図】        図１
2005185467.tif 000002
【特許請求の範囲】
【請求項１】
被施療者が座る座部の一側面に設けられた背凭れ部と、背凭れ部の上下方向に昇降可能且つ背凭れ部から突出する施療指を有するマッサージユニットとを備え、前記施療指により被施療者の腰近傍が指圧される際には、被施療者の腰が座部の前方に移動することを防止する腰位置保持手段により被施療者の体は保持されていることを特徴とする椅子式マッサージ機。
【請求項２】
前記椅子式マッサージ機は、腰を重点的に指圧する腰指圧モードを備え、腰指圧モードが選択された際には、前記腰位置保持手段により被施療者の体は保持されていることを特徴とする請求項１記載の椅子式マッサージ機。
【請求項３】
前記腰位置保持手段は、座部に設けられ、脚部側が腰部側よりも上方に膨張するエアバッグにより構成されていることを特徴とする請求項１記載の椅子式マッサージ機。
【請求項４】
前記座部の他側面には、被施療者の脚部が収納される凹部と、凹部の相対向する側壁間の距離を可変する移動板と、移動板に装着された弾性部材とが設けられ、前記腰位置保持手段は、凹部の側壁間の距離を可変することにより脚部を保持する移動板により構成されていることを特徴とする請求項１記載の椅子式マッサージ機。
【請求項５】
前記座部の他側面には、被施療者の脚部が収納される凹部と、凹部の側面に配設された膨張及び収縮可能な側面エアバッグとが設けられ、前記腰位置保持手段は、膨張することにより脚部を保持する側面エアバッグにより構成されていることを特徴とする請求項１記載の椅子式マッサージ機。
【請求項６】
前記座部の他側面側には、被施療者の足先が収納される凹部と、凹部の相対向する側壁間の距離を可変する移動板と、移動板に装着された弾性部材とが設けられ、前記腰位置保持手段は、凹部の側壁間の距離を可変することにより足先を保持する移動板により構成されていることを特徴とする請求項１記載の椅子式マッサージ機。
【請求項７】
前記座部の他側面側には、被施療者の足先が収納される凹部と、凹部の側面に配設された膨張及び収縮可能な側面エアバッグとが設けられ、記腰位置保持手段は、膨張することにより足先を保持する側面エアバッグにより構成されていることを特徴とする請求項１記載の椅子式マッサージ機。
【請求項８】
前記マッサージユニットは、前後方向に移動自在に構成されていることを特徴とする請求項１記載の椅子式マッサージ機。
【発明の詳細な説明】
【技術分野】
【０００１】
本発明は、被施療者の腰近傍を指圧する機能を有する椅子式マッサージ機に関する。
【背景技術】
【０００２】
この種の椅子式マッサージ機は、椅子の背凭れ部の内部にマッサージユニットが昇降自在に配設され、マッサージユニットには左右一対の施療指が背凭れ部から突出した状態で配備されている。そして、施療指を左右、上下及び前後に三次元的に動作させることにより被施療者にマッサージを施すものが知られている（例えば、特許文献１参照）。
【特許文献１】特開昭６３−１４５６５６号公報
【発明の開示】
【発明が解決しようとする課題】
【０００３】
しかしながら、施療指を下方に移動させると共に前後に動作させて腰近傍を指圧させた際に、施療指の動作に伴って腰が椅子の前方に押し出されるため、腰の指圧効果が減少してしまい何度も座り直す必要があった。
【０００４】
本発明はこのような課題を解決するためになされたものであり、座り直すことなく腰の指圧効果の減少を防止して効果的な腰の指圧マッサージを行うことができる椅子式マッサージ機を提供することを課題とする。
【課題を解決するための手段】
【０００５】
上記課題を解決するための手段は、被施療者が座る座部の一側面に設けられた背凭れ部と、背凭れ部の上下方向に昇降可能且つ背凭れ部から突出する施療指を有するマッサージユニットとを備え、前記施療指により被施療者の腰近傍が指圧される際には、被施療者の腰が座部の前方に移動することを防止する腰位置保持手段により被施療者の体は保持されていることを特徴とする。
【０００６】
上記課題を解決するための手段において、前記椅子式マッサージ機は、腰を重点的に指圧する腰指圧モードを備え、腰指圧モードが選択された際には、腰位置保持手段により被施療者の体は保持されてもよい。
【０００７】
上記課題を解決するための手段において、前記腰位置保持手段は、座部に設けられ、脚部側が腰部側よりも上方に膨張するエアバッグにより構成されてもよい。
【０００８】
上記課題を解決するための手段において、前記座部の他側面には、被施療者の脚部が収納される凹部と、凹部の相対向する側壁間の距離を可変する移動板と、移動板に装着された弾性部材とが設けられ、前記腰位置保持手段は、凹部の側壁間の距離を可変することにより脚部を保持する移動板により構成されてもよい。
【０００９】
上記課題を解決するための手段において、前記座部の他側面には、被施療者の脚部が収納される凹部と、凹部の側面に配設された膨張及び収縮可能な側面エアバッグとが設けられ、前記腰位置保持手段は、膨張することにより脚部を保持する側面エアバッグにより構成されてもよい。
【００１０】
上記課題を解決するための手段において、前記座部の他側面側には、被施療者の足先が収納される凹部と、凹部の相対向する側壁間の距離を可変する移動板と、移動板に装着された弾性部材とが設けられ、前記腰位置保持手段は、凹部の側壁間の距離を可変すること
により足先を保持する移動板により構成されてもよい。
【００１１】
上記課題を解決するための手段において、前記座部の他側面側には、被施療者の足先が収納される凹部と、凹部の側面に配設された膨張及び収縮可能な側面エアバッグとが設けられ、前記腰位置保持手段は、膨張することにより足先を保持する側面エアバッグにより構成されてもよい。
【００１２】
上記課題を解決するための手段において、前記マッサージユニットは、前後方向に移動自在に構成されてもよい。
【発明の効果】
【００１３】
本発明の請求項１の構成によれば、腰を指圧する際には、腰位置保持手段により腰が座部の前方に押し出されることを防止することができるため、座り直すことなく効果的な腰の指圧マッサージを行うことができる等の効果を奏する。
【００１４】
本発明の請求項２の構成によれば、腰を重点的に指圧する際にも腰位置保持手段により腰が座部の前方に押し出されることを防止することができるため、座り直すことなく効果的な腰の指圧マッサージを行うことができる等の効果を奏する。
【００１５】
本発明の請求項３の構成によれば、腰を指圧する際には、エアバッグにより体を背凭れ部側により倒して背凭れ部に押し付けることができるため、座り直すことなく効果的な腰の指圧マッサージを行うことができる等の効果を奏する。
【００１６】
本発明の請求項４の構成によれば、腰を指圧する際には、移動板により脚部を保持して腰が座部の前方に押し出されることを防止することができるため、座り直すことなく効果的な腰の指圧マッサージを行うことができる等の効果を奏する。
【００１７】
本発明の請求項５の構成によれば、腰を指圧する際には、側面エアバッグにより脚部を保持して腰が座部の前方に押し出されることを防止することができるため、座り直すことなく効果的な腰の指圧マッサージを行うことができる等の効果を奏する。
【００１８】
本発明の請求項６の構成によれば、腰を指圧する際には、移動板により足先を保持して腰が座部の前方に押し出されることを防止することができるため、座り直すことなく効果的な腰の指圧マッサージを行うことができる等の効果を奏する。
【００１９】
本発明の請求項７の構成によれば、腰を指圧する際には、側面エアバッグにより足先を保持して腰が座部の前方に押し出されることを防止することができるため、座り直すことなく効果的な腰の指圧マッサージを行うことができる等の効果を奏する。
【００２０】
本発明の請求項８の構成によれば、マッサージユニットを前後に移動させることにより腰の指圧効果を向上させることができると共に、腰の指圧効果を向上させても腰位置保持手段により腰が座部の前方に押し出されることを防止することができるため、座り直すことなく効果的な腰の指圧マッサージを行うことができる等の効果を奏する。
【発明を実施するための最良の形態】
【００２１】
本発明を実施するための最良の形態の椅子式マッサージ機を図１乃至図１４に基づいて以下に詳述する。本発明の椅子式マッサージ機は、被施療者１が腰掛ける座部２と、座部２の一端に傾動自在に連結された背凭れ部３と、背凭れ部３の上下方向に昇降可能且つ背凭れ部３から突出する一対の施療指４を備えたマッサージユニット５と、座部２の他端に回動自在に連結された脚部マッサージユニット６とから構成されている（図１参照）。ま
た、施療指４は背凭れ部３全体を被覆した布カバーにより隠れている。
【００２２】
背凭れ部３の内部には、図２及び図３に示すように、背凭れ部３の長手方向に沿って上下方向に平行に伸びる左右一対のガイドレール７が配設されている。一対のガイドレール７は夫々断面形状がコ字状で溝が対向するように配置されている。溝には開口側にラック８が刻設されている（図４参照）。一対のガイドレール７には後述のマッサージユニット５が昇降可能に取り付けられている。
【００２３】
マッサージユニット５は、図２乃至図４に示すように、メインシャーシ９から突設された４つのローラ１０が一対のガイドレール７に嵌まって昇降可能となっている。メインシャーシ９にはマッサージユニット５の全ての構成部品が搭載されている。
【００２４】
メインシャーシ９は後方及び側方が開口しており、中央には図４及び図５に示すように、
縦向きに補助シャーシ１１が間隔を開けて固定されている。下側のローラ１０は、補助シャーシ１１の下部を左右に貫通し、メインシャーシ９の両側から突出する上下回転軸１２の先端に嵌っており、上下回転軸１２にはローラ１０の内側にガイドレール７のラック８と噛合するギア１３が固定されている。上下回動軸１２は減速装置１４を介して上下用モータ５０に連繋されており、上下用モータ５０を駆動することによって、ラック８と噛み合ったギア１３が回転してマッサージユニット５はガイドレール７に沿って昇降する。減速装置１４はプーリとベルト、ウオームとウオームホイールの組み合わせから構成することができる。なお、図５では減速装置１４のプーリ間を連繋するベルトを省略している。
【００２５】
被施療者１にマッサージを施す施療指４は図４乃至図６に示すように、補助シャーシ１１の略中央に軸支されたもみ軸１５と、もみ軸１５の下方に支持されたたたき軸１６に連繋される。もみ軸１５及びたたき軸１６は図４及び図５に示すように、メインシャーシ９に搭載された夫々もみモータ１７、たたきモータ１８に減速装置１９、２０を介して連繋されている。もみ軸１５ともみモータ１７間の減速装置１９はプーリとベルト、ウオームとウオームホイールの組み合わせから構成することができる。なお、図５では減速装置１９，２０のプーリ間を連繋するベルトを省略している。
【００２６】
施療指４は図５及び図６に示すように、もみ軸１５に夫々傾斜し偏心した状態で枢支され、メインシャーシ９の前面に開設された孔２１から前方に向けて突出する揺動レバー２２と、揺動レバー２２の先端に枢支され、中央がクの字型に屈曲したマッサージアーム２３と、マッサージアーム２３の上下に枢支されたもみ球２４とを備えている。
【００２７】
たたき軸１６には図５及び図６に示すように、互いに位相が１８０度ずれた偏心カム２５が枢支されており、両偏心カム２５は揺動レバー２２のもみ軸１５側後端に取り付けられた自在継手２６と、ロッド２７を介して接続されている。
【００２８】
もみ軸１５には揺動レバー２２が夫々傾斜した状態で枢支されており、揺動レバー２２はロッド２７に夫々接続されて回転が阻止されているから、もみ軸１５が回転すると揺動レバー２２の先端が左右に動く。これによりマッサージアーム２３が左右に揺動し、上側のもみ球２４同士及び下側のもみ球２４同士が接近、離間を繰り返しながら往復運動をしてもみ動作が行われる。また、たたきモータ１８が回転するとたたき軸１６に偏心して連繋されたロッド２７を介して施療指４が上下方向に往復運動してたたき動作が行われる。
【００２９】
マッサージユニット５には、マッサージユニット５を図２及び図３に示すように、前後に移動させるせり出し機構２８が設けられている。せり出し機構２８は以下に示すクランク機構２９及びリンク機構３０から構成されている。
【００３０】
クランク機構２９は、図６及び図７に示すように、もみ軸１５の前方に配設されたクランク軸３１と、上側のローラ１０が回転自在に嵌められたクランクピン３２とをクランクアーム３３により接続して構成される。クランクピン３２はクランク軸３１に対して偏心しているため、クランク軸３１を回転させると、クランクピン３２がクランク軸３１を中心として周軌道を描く。尚、図示の実施形態では、クランク軸３１、クランクアーム３３及びクランクピン３２は一本の金属棒から構成されており、図６に示すように、クランク軸３１は軸受３４によってメインシャーシ９に軸支されている。
【００３１】
補助シャーシ１１には図４に示すように、上下に軸受３５を備えた支持片３６が突設されており、軸受３５には図４、図５及び図７に示すようにネジ溝の切られた傾動用ネジ軸３７が枢支されている。傾動用ネジ軸３７の上端はプーリやベルト（図５では省略）からなる減速装置３８を介してせり出し用モータ３９に連繋されている。
【００３２】
傾動用ネジ軸３７のネジが切られている部分にはナット４０が螺合している。ナット４０は樹脂製とすることができ、ナット４０には図７及び図８に示すようにリンク機構３０が接続されている。リンク機構３０はリンク片４１とリンク片４２とから構成することができる。
【００３３】
尚、以下では、リンク片４１は長手方向に伸縮可能となるように相互にスライド可能に構成された第１リンク片４３と第２リンク片４４から構成した例について説明する。
【００３４】
第１リンク片４３はナット４０に前後方向に傾動可能に枢支されており、第１リンク片４３の基端側近傍にはスライド用軸４５が突設されている。第２リンク片４４は第１リンク片４３を両側から挟み込む一対の部材から構成され、夫々長手方向に長孔４６が開設されている。第２リンク片４４の長孔４６は夫々第１リンク片４３のスライド用軸４５にスライド可能に嵌っている。
【００３５】
さらに、第２リンク片４４の先端には図７に示すように、軸４７が突設されており、スライド用軸４５との間にはバネ４８が張設されている。バネ４８は第２リンク片４４をナット４０の方に向けて付勢し、無負荷の状態ではバネ４８は第２リンク片４４がナット４０側に最も引き寄せられた状態になっている。
【００３６】
第２リンク片４４の軸４７には第３リンク片４２が枢支されている。第３リンク片４２の先端はクランク軸３１に固定されている。
【００３７】
ナット４０が傾動用ネジ軸３７の上側に位置しているときには、第３リンク片４２が第２リンク片４４側に引き寄せられており、マッサージユニット５（メインシャーシ９）は最も引き下がった位置にある（図２参照）。
【００３８】
この状態から傾動用ネジ軸３７を回転させて図８に示すように、ナット４０を下側に移動させると（図８中矢印Ａ方向）、ナット４０の下方向への移動に伴って。第２リンク片４４が第３リンク片４２との係合部を下向きに引っ張り第３リンク片４２がクランク軸３１を中心として回転する。第３リンク片４２とクランク軸３１は固定されているため、クランク軸３１は第３リンク片４２と共に一体回転する。
【００３９】
クランク軸３１の両端のクランクピン３２はローラ１０によってガイドレール７に沿ってのみ移動可能であり、前後に移動できないからクランク軸３１の回転によりマッサージユニット５は上下回転軸１２を中心として傾動する。上下回転軸１２はマッサージユニット５の下方に設けられているから図３に示すように、マッサージユニット５の傾動により
施療指４は前方にせり出す（図８中矢印Ｂで示す）。
【００４０】
被施療者１の肩位置で施療指４をせり出させることにより、施療指４は被施療者１の肩の上部まで届く。この状態でもみモータ１７及び／又はたたきモータ１８駆動することにより被施療者１の肩の上部を効果的にマッサージすることができる。
【００４１】
また、被施療者１の肩位置よりも下側、即ち、背中や腰位置に施療指４がある状態で施療指４をせり出させることにより被施療者１の背中や腰が指圧マッサージされる。また、この状態で上下用モータ５０を回転させてマッサージユニット５を昇降させることにより施療指４が被施療者１に強く押し当てられた状態のローリングマッサージを施すことができる。
【００４２】
図３の状態から傾動用ネジ軸３７を逆回転させるとナット４０が上側に移動し、上記とは逆に、マッサージユニット５は後退し施療指４は背凭れ部３の内部に引き戻される（図２参照）。引き戻された状態では、従来と同様のマッサージを行うことができる。
【００４３】
傾動用ネジ軸３７の回転、即ち、ナット４０の傾動用ネジ軸３７に対する位置を調節することによってマッサージユニット５のせり出し量を調節することができる。また、クランクアーム３３の長さを変えることによって最大のせり出し量も調節できる。
【００４４】
マッサージユニット５のせり出し量は、せり出し量検知手段により検知することができる。せり出し量検知手段としては、例えば、図７に示すように第３リンク片４２に当接する可変抵抗器４９を配設し、可変抵抗器４９によって第３リンク片４２の回転角度に伴う抵抗値の変化を測定すればよい。尚、クランク軸３１も第３リンク片４２と一体に回転するからクランク軸３１にせり出し量検知手段を設けてもよい。
【００４５】
脚部マッサージユニット６は、座部２に連結フレーム５１を介して回動自在且つ任意の角度で位置決め可能に配設されている。脚部マッサージユニット６は図９に示すように、ユニット筐体５２に被施療者１の脚部（ふくらはぎ）を挿入する一対の凹部５３を形成し、各凹部５３の一方の側壁に、狭持手段としての側面エアーバッグ５４が、他方の側壁に弾性部材５５が夫々配設され、各凹部５３の底壁には指圧用の底面エアバック５６が配備されている。
【００４６】
ユニット筐体５２は図９乃至図１２に示すように、凹部５３の底面５７を構成する底壁５８と、底壁５８の両端から上方に向けて平行に形成された第１側壁５９と、第１側壁５９の間に第１側壁５９と対向するように突設された第２側壁６０とを備える。ユニット筐体５２は樹脂等によって形成することができる。
【００４７】
第１側壁５９と対面する第２側壁６０には弾性部材５５が貼り付けられている。第１側壁５９の弾性部材５５と対面する側には、側壁面６３に沿うように側面エアバッグ５４が取付けられている。側面エアバック５４は、チューブ６２（図１３参照）及び図示しないバルブを介して図示しないエアーポンプに接続され、エアーポンプからの空気の供給を受けて膨張する。弾性部材５５は側面エアバック５４を膨張させたときに、被施療者１の脚部が埋没する程度の弾力性を有するものを用いることが望ましく、ウレタン樹脂やスポンジ、発泡樹脂等から構成することができる。
【００４８】
凹部５３の底面５７には、図１０に示すように、底面エアバック５６が取付けられている。底面エアバック５６には、夫々ウレタン樹脂等からなる指圧子６１が突設されている。指圧子６１は底面エアバッグ５６と熱圧着することが望ましい。熱圧着によって指圧子６１は柔軟な状態で装着されるので底面エアバッグ５６が膨張した時に、被施療者１の患
部に指圧子６１の全体がフィットし、患部の一部分のみを指圧するようなことはない。底面エアバッグ５６もチューブ６２を介してエアポンプに接続される。
【００４９】
脚部マッサージユニット６は図示しない布カバーで表面は覆われている。脚部マッサージユニット６を布カバーで覆うことにより側面エアーバッグ５４は側壁面６３に接着等しなくても、凹部５３内へ倒れることはなく側壁面６３に沿って保持される。
【００５０】
被施療者１の脚部６４を凹部５３に挿入した状態で側面エアーバッグ５４を膨張させると、被施療者１の脚部６４が図１３に示すように側面エアーバッグ５４に押されて、弾性部材５５に埋没して安定した状態になる。従って、側面エアーバッグ５４によって脚部６４が凹部５３から押し出されてしまうこともない。尚、弾性部材５５は柔軟な材質であるため側面エアーバッグ５４と弾性部材５５に脚部６４が挟まれても圧迫感もない。
【００５１】
側面エアーバッグ５４を膨張させた状態で、底面エアバッグ５６を膨張させると図１３に示すように指圧子６１が脚部６４を指圧マッサージする。脚部６４は側面エアーバッグ５４と弾性部材５５に安定的に保持されているので指圧子６１の指圧力によって脚部６４が凹部５３から押し出されてしまうこともなく効果的な指圧マッサージを施すことができる。
【００５２】
尚、指圧子６１は凹部５３の幅方向に長い形状とし底面エアバッグ５６に熱圧着しているから脚部６４に局部的に強い指圧力が加わることがないので被施療者１が痛みを感じることもない。側面エアーバッグ５４と底面エアバッグ５６を一定時間毎に、または、ランダムに膨張、収縮させることによってもみマッサージ、指圧マッサージを組み合わせたマッサージを施すことができる。
【００５３】
図１４は本発明の椅子式マッサージ機の操作部６５を示している。電源ボタン６６を押して電源が入ると自動ボタン６７と手動ボタン６８が共に緑色に点灯して、自動コースあるいは手動コースが選択されるまで待機する。自動ボタン６７が押されると自動ボタン６７は赤色に点灯すると共に予め定められたプログラムに従ってマッサージを行う。
【００５４】
手動ボタン６８が押されると手動ボタン６８は赤色に点灯すると共に枠６９で囲まれた全てのボタンは緑色に点灯して被施療者１の好みのマッサージが選択されるまで待機する。たたきボタン７０が押されると、たたきボタン７０は赤色に点灯すると共に、たたきモータ１８が駆動してたたきマッサージを行う。もみボタン７１が押されると、もみボタン７１は赤色に点灯すると共に、もみモータ１７が駆動してもみマッサージを行う。ローリングボタン７２が押されると、ローリングボタン７２は赤色に点灯すると共に、上下用モータ５０が駆動してローリングマッサージを行う。脚ボタン７３が押されると、脚ボタン７３は赤色に点灯すると共に、側面エアーバッグ５４に空気を供給して膨張・収縮による脚のエアマッサージを行う。指圧ボタン７４が押されると、指圧ボタン７４は赤色に点灯すると共に、せり出し用モータ３９が駆動して施療指４を前方へせり出し指圧を行う。起ボタン７６が押されると、起ボタン７６は赤色に点灯すると共に、起ボタン７６が押されている間背凭れ部３は起き上がる。倒ボタン７７が押されると、倒ボタン７７は赤色に点灯すると共に、倒ボタン７７が押されている間背凭れ部３は倒れる。上ボタン７８が押されると、上ボタン７８は赤色に点灯すると共に、上ボタン７８が押されている間施療指４は上方に移動する。下ボタン７９が押されると、下ボタン７９は赤色に点灯すると共に、下ボタン７９が押されている間施療指４は下方に移動する。
【００５５】
腰指圧ボタン７５が押されると、腰指圧ボタン７５は赤色に点灯すると共に、上下用モータ５０を駆動させて施療指４を腰位置まで移動させ、側面エアーバッグ５４に空気を供給して脚を固定させると共に、せり出し用モータ３９を駆動させる。
【００５６】
本願発明の椅子式マッサージ機はこのように構成されているため、手動運転の腰指圧を選択した際に、脚部マッサージユニット６の側面エアーバッグ５４により脚部は保持される。この結果、背凭れ部３からせり出す施療指４により腰が座部２の前方に押し出されることがないため、座り直すことなく効果的な腰の指圧マッサージを行うことができる。
【００５７】
また、手動運転の指圧を選択し、下ボタン７９を押して施療指４を腰の位置まで下げた時にも、腰指圧と同様に側面エアーバッグ５４により脚部を保持してもよい。このようにすることにより腰指圧と同様に座り直すことなく効果的な腰の指圧マッサージを行うことができる。また、自動運転を選択した場合でも、腰の指圧を行う際には側面エアーバッグ５４により脚部を保持してもよい。このようにすることにより手動運転の腰指圧と同様に座り直すことなく効果的な腰の指圧マッサージを行うことができる。
【００５８】
尚、背凭れ部３からせり出す施療指４により腰が座部２の前方に押し出されることを防止する腰位置保持手段は、脚部を保持する側面エアーバッグ５４に限定されるものではない。例えば、凹部５３の相対向する側壁間の距離を移動板により可変可能にすると共に、移動板に弾性部材を装着し、凹部５３の相対向する側壁間を移動する弾性部材を有する移動板により脚部をマッサージすると共に、脚部を保持する構成にしてもよい。
【００５９】
また、前記脚部マッサージユニット６と同様の、足先を挿入する一対の凹部を有する足先マッサージユニットを配備し、腰位置保持手段として足先をマッサージする側面エアバッグ、あるいは、弾性部材を有する移動板により足先を保持するようにしてもよい。また、座部２にエアバックを配設し、腰を指圧する際には体が背凭れ部３に押し付けられるように、脚部側が腰部側より上方になるようにエアバッグを膨張させる構成にしてもよい。
【００６０】
また、本実施形態では、腰を指圧する際にはマッサージユニット５を前後に移動させるせり出し機構により施療指４のせり出し量を多くして指圧効果を向上させたが、この構成に限定されるものではない。マッサージユニットは前後に移動させず、施療指のみをせり出させる構成にしてもよい。
【００６１】
また、以上の説明では施療指４を前方へ単にせり出す純粋な指圧マッサージの際に、腰位置が前方へ押し出されないようにするための構成について述べたが、施療指４を前方へせり出した状態で、もみやたたきを行う場合についても（強いもみやたたきを行った場合）腰位置保持手段を働かせて、腰が前方へ押し出されないようにすることもできる。従って本願の請求項でいうところの「指圧」とはこのような強いもみやたたきのマッサージも含むものである。
【図面の簡単な説明】
【００６２】
【図１】本発明を実施するための最良の形態の椅子式マッサージ機の斜視図である。
【図２】同椅子式マッサージ機の背凭れ部の断面図である。
【図３】同椅子式マッサージ機のマッサージユニット及び施療指を前方にせり出した状態を示す背凭れ部の断面図である。
【図４】同椅子式マッサージ機のマッサージユニットの背面図である。
【図５】同椅子式マッサージ機のマッサージユニットを右斜め後方から見た斜視図である。
【図６】同椅子式マッサージ機のマッサージユニットの要部を取り出して示す斜視図である。
【図７】同椅子式マッサージ機のマッサージユニットを左斜め後方から見た斜視図である。
【図８】同椅子式マッサージ機のマッサージユニットの要部を取り出して示す断面図である。
【図９】同椅子式マッサージ機の脚部マッサージユニットの斜視図である。
【図１０】同椅子式マッサージ機の脚部マッサージユニットの正面図である。
【図１１】同椅子式マッサージ機の脚部マッサージユニットの底面図である。
【図１２】同椅子式マッサージ機の脚部マッサージユニットの側面図である。
【図１３】同椅子式マッサージ機の脚部マッサージユニットのエアバッグを膨張させた状態を示す説明図である。
【図１４】同椅子式マッサージ機の操作部の正面図である。
【符号の説明】
【００６３】
１    被施療者
２    座部
３    背凭れ部
４    施療指
５    マッサージユニット
６脚部マッサージユニット
５４  側面エアバッグ
【図１】
2005185467.tif 000003
【図２】
2005185467.tif 000004
【図３】
2005185467.tif 000005
【図４】
2005185467.tif 000006
【図５】
2005185467.tif 000007
【図６】
2005185467.tif 000008
【図７】
2005185467.tif 000009
【図８】
2005185467.tif 000010
【図９】
2005185467.tif 000011
【図１０】
2005185467.tif 000012
【図１１】
2005185467.tif 000013
【図１２】
2005185467.tif 000014
【図１３】
2005185467.tif 000015
【図１４】
2005185467.tif 000016